(57)【要約】【課題】作業場周辺に粉塵が飛散するのを防止する移動式集塵フード装置を提供する。【解決手段】固定式の集塵機に接続され、作業場１１で発生する粉塵を吸引する移動式集塵フード装置１０であって、作業場１１の左右に設けられたレール１２、１３上をそれぞれ走行する車輪１４、１５、及び車輪１６、１７を下部に備え、下側の前後に開口部を有し、閉空間１８を内側に形成する移動架台１９と、閉空間１８の上方に設けられ下部が開放された吸引フード２０、２１と、移動架台１９の前側開口部を覆い、第１の昇降手段２２、２３、２４によってそれぞれ昇降する布状前側カバー２５、２６、２７と、移動架台１９の後側に２〜１０度の範囲で前方に傾斜して設けられたガイド枠２８、２９に沿って、第２の昇降手段３１により、昇降される後側カバー３２と、吸引フード２０、２１に連結された固定集塵ダクト３５を集塵機に連結する蛇腹ダクト３６とを有する。【選択図】図１
2011056435.tif 000002
【特許請求の範囲】
【請求項１】
固定式の集塵機に接続され、作業場から発生する粉塵を吸引する移動式集塵フード装置であって、
前記作業場の左右に設けられたレールと、
前記左右のレール上をそれぞれ走行する車輪を両側下部に備え、下側の前後に前側開口部と後側開口部をそれぞれ有して、前記作業場を囲む閉空間を内側に形成する移動架台と、
前記閉空間の上方に設けられ下部が開放された吸引フードと、
前記移動架台の前側開口部を覆い、それぞれ第１の昇降手段によって、独立して昇降可能な複数の布状前側カバーと、
前記移動架台の後側に２〜１０度の範囲で前方に傾斜して設けられたガイド枠に沿って、第２の昇降手段により、昇降駆動されて該移動架台の後側開口部を覆う後側カバーと、
前記吸引フードの頂部に配置された排気口に連結される固定集塵ダクトと、
前記固定集塵ダクトを前記集塵機に連結する屈曲性のある蛇腹ダクトとを有することを特徴とする移動式集塵フード装置。
【請求項２】
請求項１記載の移動式集塵フード装置において、前記吸引フードは左右方向に複数個並べて設けられていることを特長とする移動式集塵フード装置。
【請求項３】
請求項１又は２記載の移動式集塵フード装置において、前記移動架台の両側下部に配置された車輪は、それぞれ該移動架台の前後に配置され、前又は後に配置された一方が駆動車輪で、他方が従動車輪となっていることを特徴とする移動式集塵フード装置。
【請求項４】
請求項１〜３のいずれか１項に記載の移動式集塵フード装置において、前記後側カバーはパネル状構造であり、前記ガイド枠は、該後側カバーの昇降方向に沿って形成され、該後側カバーの両側部に設けられたガイド車輪が挿入される溝を備えていることを特徴とする移動式集塵フード装置。
【請求項５】
請求項４記載の移動式集塵フード装置において、前記後側カバーには、前記移動架台の上部に配置された駆動軸に設けられたスプロケットに噛合する左右のチェーンの一端が連結され、更に、前記左右のチェーンの他端にはバランスウェイトが連結されていることを特徴とする移動式集塵フード装置。
【請求項６】
請求項１〜５のいずれか１項に記載の移動式集塵フード装置において、前記布状前側カバーの前又は後の下位置には、敷設鉄板に回動可能に取り付けられて、該布状前側カバーの下側をシールする補助シール板が設けられていることを特徴とする移動式集塵フード装置。
【請求項７】
請求項６記載の移動式集塵フード装置において、前記補助シール板は複数並べて配置され、それぞれ、水平に対して０度位置から９０度位置まで自由に回動し、更に傾斜してストッパーで９０度位置を超え１２０度位置までの範囲で固定可能であることを特徴とする移動式集塵フード装置。
【発明の詳細な説明】
【技術分野】
【０００１】
本発明は、固定式の集塵機に接続され、作業場で発生する粉塵を吸引する移動式集塵フード装置に関する。
【背景技術】
【０００２】
従来、金属片の切断等が行われ、粉塵が発生する作業場では、粉塵が作業場内や大気中に飛散するのを防止するため粉塵を吸引する集塵機が用いられている。そして、作業場に物の搬出入等が行われる現場では、集塵機が作業スペースの妨げにならないように、集塵機を作業場と離れた場所に設置し、粉塵を吸込む移動可能な集塵フード装置（集塵装置）を作業場の近くに配置して、集塵フード装置と集塵機をダクトを介して接続することが提案されている（例えば、特許文献１参照）。
【先行技術文献】
【特許文献】
【０００３】
【特許文献１】特公平８−０２６３８５号公報
【発明の概要】
【発明が解決しようとする課題】
【０００４】
しかしながら、特許文献１の集塵フード装置は、移動方向の前側及び後側が大きく開口しており、粉塵を吸引する際に、多くの粉塵がこの開口部分から外に飛散する可能性があり、作業場周辺の環境悪化を招く恐れがある。
また、開口部の面積が広いと大量の空気を吸込み、固定式の集塵機が大型化するという問題がある。
本発明はかかる事情に鑑みてなされたもので、開口部分を僅かにして、作業場周辺に粉塵が飛散するのを防止する移動式集塵フード装置を提供することを目的とする。
【課題を解決するための手段】
【０００５】
前記目的に沿う本発明に係る移動式集塵フード装置は、固定式の集塵機に接続され、作業場から発生する粉塵を吸引する移動式集塵フード装置であって、前記作業場の左右に設けられたレールと、前記左右のレール上をそれぞれ走行する車輪を両側下部に備え、下側の前後に前側開口部と後側開口部をそれぞれ有して、前記作業場を囲む閉空間を内側に形成する移動架台と、前記閉空間の上方に設けられ下部が開放された吸引フードと、前記移動架台の前側開口部を覆い、それぞれ第１の昇降手段によって、独立して昇降可能な複数の布状前側カバーと、前記移動架台の後側に２〜１０度の範囲で前方に傾斜して設けられたガイド枠に沿って、第２の昇降手段により、昇降駆動されて該移動架台の後側開口部を覆う後側カバーと、前記吸引フードの頂部に配置された排気口に連結される固定集塵ダクトと、前記固定集塵ダクトを前記集塵機に連結する屈曲性のある蛇腹ダクトとを有する。
【０００６】
本発明に係る移動式集塵フード装置において、前記吸引フードは左右方向に複数個並べて設けられているのが好ましい。
【０００７】
本発明に係る移動式集塵フード装置において、前記移動架台の両側下部に配置された車輪は、それぞれ該移動架台の前後に配置され、前又は後に配置された一方が駆動車輪で、他方が従動車輪となっているのが好ましい。
【０００８】
本発明に係る移動式集塵フード装置において、前記後側カバーはパネル状構造であり、前記ガイド枠は、該後側カバーの昇降方向に沿って形成され、該後側カバーの両側部に設けられたガイド車輪が挿入される溝を備えているのが好ましい。
【０００９】
本発明に係る移動式集塵フード装置において、前記後側カバーには、前記移動架台の上部に配置された駆動軸に設けられたスプロケットに噛合する左右のチェーンの一端が連結され、更に、前記左右のチェーンの他端にはバランスウェイトが連結されているのが好ましい。
【００１０】
本発明に係る移動式集塵フード装置において、前記布状前側カバーの前又は後の下位置には、敷設鉄板に回動可能に取り付けられて、該布状前側カバーの下側をシールする補助シール板が設けられているのが好ましい。
【００１１】
本発明に係る移動式集塵フード装置において、前記補助シール板は複数並べて配置され、それぞれ、水平に対して０度位置から９０度位置まで自由に回動し、更に傾斜してストッパーで９０度位置を超え１２０度位置までの範囲で固定可能であるのが好ましい。
【発明の効果】
【００１２】
請求項１〜７記載の移動式集塵フード装置は、左右のレール上をそれぞれ走行する車輪を両側下部に備え、下側の前後に前側開口部と後側開口部をそれぞれ有して、作業場を囲む閉空間を内側に形成する移動架台と、閉空間の上方に設けられ下部が開放された吸引フードと、移動架台の前側開口部を覆い、それぞれ第１の昇降手段によって、独立して昇降可能な複数の布状前側カバーと、移動架台の後側に２〜１０度の範囲で前方に傾斜して設けられたガイド枠に沿って、第２の昇降手段により、昇降駆動されて移動架台の後側開口部を覆う後側カバーと、吸引フードの頂部に配置された排気口に連結される固定集塵ダクトと、固定集塵ダクトを集塵機に連結する屈曲性のある蛇腹ダクトとを有するので、広い作業場の全部を覆って集塵する場合に比較して、局所集塵が可能となり、集塵装置の小型化が可能となる。
【００１３】
特に、移動架台の前側開口部を覆う昇降可能な複数の布状前側カバーと昇降駆動されて後側開口部を覆う後側カバーとを有するので、開口部分の面積を小さくすることができ、これによって、効率的に作業場の集塵ができると共に、外部への粉塵の飛散を防止できる。
更に具体的には、移動架台の内側に形成される閉空間を作業場に配置し、例えば金属片を切断するアーム部を備える切断装置の本体部を移動架台に近接させ、切断装置のアーム部を移動架台の前側から閉空間に挿入して、作業場に置かれた金属片を切断する場合、複数の布状前側カバーのうち、直下に切断装置のアーム部が配置されていない布状前側カバー及び後側カバーをそれぞれ下限位置まで下降して、移動架台の前側開口部と後側開口部の大部分を覆うことができ、金属片の切断により生じる粉塵の外部に飛散する量を少なくすることが可能である。
【００１４】
更に、下方に切断装置のアーム部が配置された布状前側カバーも下ろして、アーム部の上部を布状前側カバーで覆うことにより、布状前側カバーの両側下部を、アーム部の両側に垂れ下がった状態にして、移動架台の前側の開放された空間を最小限にすることができる。
また、後側カバーは、２〜１０度の範囲で前方に傾斜して設けられたガイド枠に沿って、昇降駆動されるので、垂直方向に昇降されるのと比較してガタが少なくなってシール性も確保でき、更には、後側カバーを昇降する機器、部品等に加わる負荷を低減可能である。
しかも、固定集塵ダクトを屈曲性のある蛇腹ダクトにより集塵機に連結するので、移動式集塵フード装置の移動により固定された集塵機と固定集塵ダクトとの相対的な位置関係が変わっても、蛇腹ダクトに破損等が生じるのを防止可能である。
【００１５】
特に、請求項２記載の移動式集塵フード装置は、吸引フードが左右方向に複数個並べて設けられているので、作業場で発生した粉塵をより短い距離で効率的、かつ確実に吸込むことが可能である。
【００１６】
請求項３記載の移動式集塵フード装置は、移動架台の前後に配置された車輪の、前又は後に配置された一方が駆動車輪で、他方が従動車輪となっているので、前後の車輪の回転数の同期をとる制御手段を設ける必要がなく、構造の複雑化を回避可能である。
【００１７】
請求項４記載の移動式集塵フード装置は、傾斜したガイド枠が、後側カバーの昇降方向に沿って形成され、後側カバーの両側部のガイド車輪が挿入される溝を備えているので、後側カバーは、ガイド枠に直角な方向に変位することなく（即ち、ガタツクことがなく）、ガイド枠に沿った昇降移動を安定して行うことが可能である。
【００１８】
請求項５記載の移動式集塵フード装置は、後側カバーに左右のチェーンを介してバランスウェイトが連結されているので、後側カバーとバランスウェイトを自重により釣り合いのとれた関係にし、後側カバーを所望高さに安定して保持することが可能である。また、後側カバーの高さ位置を一定に固定する固定機構を駆動軸等に設ける必要がなく、移動式集塵フード装置の構成が複雑になり、製造コストが上昇するのを防止できる。
【００１９】
請求項６記載の移動式集塵フード装置は、布状前側カバーの下側のシールする補助シール板が設けられているので、作業場で発生した粉塵が布状前側カバーの下側から外部に飛散するのを防止し、シール性を高めることができる。
【００２０】
更には、請求項７記載の移動式集塵フード装置は、補助シール板が水平に対して０度から９０度位置まで自由に回動し、更に傾斜してストッパーで９０度を超え１２０度位置の範囲で固定可能となっているので、特別な駆動装置を取り付ける必要がなく、補助シール板を簡便に使用でき、更に、補助シール板を複数に分割した場合には、軽量化が図れると共に、各補助シール板を個別に開閉できる。
【図面の簡単な説明】
【００２１】
【図１】本発明の一実施の形態に係る移動式集塵フード装置の一部省略正面図である。
【図２】同移動式集塵フード装置の側面図である。
【図３】同移動式集塵フード装置の一部省略背面図である。
【図４】同移動式集塵フード装置を用いて作業を行うときの説明図である。
【図５】（Ａ）〜（Ｃ）はそれぞれ同移動式集塵フード装置の後側カバーのガイド車輪の説明図である。
【発明を実施するための形態】
【００２２】
続いて、添付した図面を参照しつつ、本発明を具体化した実施の形態につき説明し、本発明の理解に供する。
図１〜図３に示すように、本発明の一実施の形態に係る移動式集塵フード装置１０は、図示しない固定式の集塵機（バッグフィルター）に接続され、作業場１１から発生する粉塵を吸引する装置であって、作業場１１の左右に設けられたレール１２、１３と、左右のレール１２、１３上をそれぞれ走行する車輪の一例である左前車輪１４、左後車輪１５及び右前車輪１６、右後車輪１７を両側下部に備え、下側の前後に前側開口部と後側開口部をそれぞれ有して、作業場１１を囲む閉空間１８を内側に有する移動架台１９と、閉空間１８の上方に設けられ角錐台状となって、下部が開放された吸引フード２０、２１とを有している。
【００２３】
更に、移動式集塵フード装置１０は、移動架台１９の前側開口部を覆い、それぞれチェーンブロックからなる第１の昇降手段２２、２３、２４によって、昇降可能な複数（この実施の形態では３つ）の布状前側カバー２５、２６、２７を有し、更に、移動架台１９の後側に２〜１０度の範囲で前方に傾斜して設けられたガイド枠の一例である左ガイド枠２８、及び右ガイド枠２９に沿って、第２の昇降手段３１により昇降駆動されて、移動架台１９の後側開口部を覆う後側カバー３２と、吸引フード２０、２１の頂部にそれぞれ配置された排気口３３、３４に連結される固定集塵ダクト３５と、固定集塵ダクト３５を集塵機に連結する屈曲性のある蛇腹ダクト３６とを有している。以下、これらについて詳細に説明する。
【００２４】
金属片のガス切断処理等を行う作業場１１を挟んで左右にそれぞれ設けられたレール１２、１３は平行に配置され、前後Ｌ（例えば、１０〜２０）メートルの長さを有している。そして、移動式集塵フード装置１０は、レール１２、１３に沿って進退移動ができ、その移動可能な長さは、０．４×Ｌ〜０．６×Ｌメートルである。
レール１２上を走行する左前車輪１４及び左後車輪１５は、移動架台１９の左側下部の前後にそれぞれ配置され、左後車輪１５は、移動架台１９に設けられた左車輪駆動モータ３７の回転により駆動される駆動車輪となっている。また、レール１３上を走行する右前車輪１６及び右後車輪１７は、移動架台１９の右側下部の前後にそれぞれ配置され、右後車輪１７は、移動架台１９に設けられた右車輪駆動モータ３８の回転により駆動される駆動車輪となっている。
なお、左前車輪１４及び右前車輪１６はそれぞれ、左後車輪１５及び右後車輪１７の駆動によって移動架台１９に生じる推進力により回転する従動車輪となっている。
【００２５】
移動架台１９は、左側下部及び右側下部に、レール１２、１３の設置方向に配置されて、左前車輪１４、左後車輪１５及び左車輪駆動モータ３７が取り付けられた左底材３９と、右前車輪１６、右後車輪１７及び右車輪駆動モータ３８が取り付けられた右底材４０とをそれぞれ有している。
左底材３９の前側及び中央には、それぞれ下部が固着された左垂直材４１、４２が垂直配置され、右底材４０の前側及び中央には、それぞれ下部が固着された右垂直材４３、４４が垂直配置されており。左垂直材４１、４２及び右垂直材４３、４４は、移動架台１９の上部から下部に渡って配置されており、移動架台１９は、この左垂直材４１、４２及び右垂直材４３、４４によって前後左右の姿勢を一定に保っている。
【００２６】
移動架台１９の左右には、鉄製の左側壁部４９及び右側壁部５０が、左垂直材４１、４２及び右垂直材４３、４４にそれぞれ支持され配置されている。左側壁部４９及び右側壁部５０は、移動架台１９の閉空間１８を間に挟み、閉空間１８と外部との空気の流れを遮断している。なお、左側壁部４９及び右側壁部５０の下部内側には、作業場１１で発生する煙の漏れを防ぐように、下部が左底材３９及び右底材４０より低く配置された図示しない金属板が固定されている。
【００２７】
また、移動架台１９の前後には、鉄製の前壁部５１及び後壁部５２がそれぞれ設けられており、左側壁部４９、右側壁部５０、前壁部５１及び後壁部５２によって、作業場１１を囲む閉空間１８が形成され、前壁部５１の下側は、前側開口部となり、後壁部５２の下側は、後側開口部となっている。
なお、移動架台１９の左側壁部４９には、点検用階段５３が設けられ、点検、修理等のために移動式集塵フード装置１０の上部に設けられた図示しない点検用デッキに上ることが可能である。また、移動架台１９は、閉空間１８の上側に点検用階段５３及び点検用デッキを支持するフレーム部５３ａを有している。
【００２８】
左底材３９の下側前後には、左底材３９を水平方向に保つ左浮上がり防止部材４５、４６がそれぞれ設けられている。左浮上がり防止部材４５、４６は、左底材３９が水平配置の状態で、レール１２の上部と僅少の隙間を有するように配置されており、移動架台１９が前後に傾斜し、左底材３９の前後のうち一方がレール１２と接近した場合に、左浮上がり防止部材４５、４６の一方をレール１２の上部に当接して、移動架台１９が一定角度以上傾くのを防止している。
なお、右底材４０の下側前後にも、右底材４０を水平方向に保つ右浮上がり防止部材４７、４８がそれぞれ設けられており、左浮上がり防止部材４５、４６と同様に、移動架台１９が一定角度以上傾くのを防止している。
【００２９】
閉空間１８の上方には、粉塵を吸込む下部の開放部が移動架台１９の高さ中央に配置された吸引フード２０、２１が設けられ、吸引フード２０、２１は、左右に並べて設けられている。なお、吸引フード２０、２１は、移動架台１９の左側壁部４９、右側壁部５０、前壁部５１及び後壁部５２の上部に取り付けられ、固定されている。吸引フード２０の排気口３３、及び吸引フード２１の排気口３４は、固定集塵ダクト３５及び蛇腹ダクト３６を介して集塵機に接続されているので、集塵機の作動により吸引フード２０、２１は、開放された下部から閉空間１８内にある粉塵を吸込むことができる。そして、排気口３３、３４は開閉制御が可能であり、作業場１１での粉塵、煙の発生状況により、吸引フード２０、２１のうち一方のみから粉塵、煙を吸引することができる。
また、蛇腹ダクト３６は、屈曲性を有しており、移動架台１９の移動により集塵機と固定集塵ダクト３５の相対的な位置関係が変わっても、破損等を生じることなく、集塵機と固定集塵ダクト３５を連結可能である。
【００３０】
移動架台１９の前側には、耐熱素材、例えばシリカ素材で形成され、移動架台１９の前側開口部を覆う布状前側カバー２５、２６、２７が配置されている。布状前側カバー２５、２６、２７は、移動架台１９の前側に左右方向に横並びで密接して配置され、布状前側カバー２５、２６、２７の直上にそれぞれ配置された第１の昇降手段２２、２３、２４の作動によりそれぞれ独立して昇降可能である。
布状前側カバー２５、２６、２７は、最下位置にある状態で、移動架台１９の閉空間１８を覆い、空気の流れを遮断することができ、最上位置にある状態で、前壁部５１と重合して移動架台１９の前側下部を開放する（前側開口部を露出する）。
なお、第１の昇降手段２２（第１の昇降手段２３、２４についても同じ）は、例えば駆動モータと布状前側カバー２５に連結され駆動モータの回転軸に巻きつけられたワイヤを有して構成され、駆動モータによる回転軸の回動によって、布状前側カバー２５を昇降する。
【００３１】
後側カバー３２は鉄製のパネル状構造であり、後側カバー３２の左右にそれぞれ設けられた左ガイド枠２８及び右ガイド枠２９は、後側カバー３２の昇降方向（前方に２〜１０度の範囲で傾斜する方向）に沿って形成されている。図５（Ａ）、（Ｂ）、（Ｃ）に示すように、左ガイド枠２８及び右ガイド枠２９は、それぞれ後側カバー３２の側部に設けられているガイド車輪の一例である縦ローラ３２ａ、横ローラ３２ｂが嵌入する溝３２ｃを備え、後側カバー３２の昇降動作を案内している。なお、後側カバー３２の側部を、左ガイド枠２８及び右ガイド枠２９の溝３２ｃの底部に当接して回動する縦、横ローラ３２ａ、３２ｂを設けて形成することで、後側カバー３２は、左ガイド枠２８及び右ガイド枠２９との間に生じる摩擦力を抑制でき、昇降動作を円滑に行うことが可能である。
【００３２】
後側カバー３２を昇降する第２の昇降手段３１は、複数の軸受け３１ａによって、移動架台１９のフレーム部５３ａの上部に回動可能に取り付けられ、スプロケット及びチェーンを介して連結されて昇降用駆動モータ５４の作動により駆動される駆動軸５５を有し、駆動軸５５の左右には、駆動軸５５と共に回動するスプロケット５６、５７がそれぞれ配置されている。後側カバー３２には、スプロケット５６、５７にそれぞれ噛合する左右のチェーン５９、６０の一端が連結され、駆動軸５５及びスプロケット５６、５７を介して左右のチェーン５９、６０に伝えられる昇降用駆動モータ５４の駆動力によって、後側カバー３２が昇降される。
【００３３】
また、左右のチェーン５９、６０の他端には、水平位置を固定され垂直方向に移動するバランスウェイト６１、６２がそれぞれ連結され、バランスウェイト６１、６２は後側カバー３２と自重のつり合いが取れた重量を有するので、所望高さに配置された後側カバー３２を、その配置された高さで安定して保持することができる。
バランスウェイト６１、６２は、断面が直角四角形に形成されており、例えば、垂直配置された四角柱形状のガイド筒６１ａ、６２ｂの内側に移動可能に配置することで、バランスウェイト６１、６２の水平位置を固定した上で、垂直方向の安定した移動を行うことができる。
【００３４】
そして、移動架台１９の上部には、駆動軸５５を駆動する予備昇降用駆動モータ６３が設けられており、昇降用駆動モータ５４が不具合等により作動できない場合には、予備昇降用駆動モータ６３の作動により後側カバー３２を昇降することが可能である。
なお、第２の昇降手段３１は、昇降用駆動モータ５４、予備昇降用駆動モータ６３、駆動軸５５、スプロケット５６、５７、チェーン５９、６０、及びバランスウェイト６１、６２を有して構成されている。
【００３５】
また、左ガイド枠２８及び右ガイド枠２９は、２〜１０度の範囲、具体的には５．４度、前方に傾斜して配置されているので、スプロケット５６、５７、チェーン５９、６０等に加わる負担が大きくなるのを防止すると共に後側カバー３２に歪を生じにくくしている。更に、左ガイド枠２８及び右ガイド枠２９の傾斜角度が大きくなるのに伴って、後側カバー３２の縦の長さは長くなり、これにより、後側カバー３２を昇降する時間も長くなるが、左ガイド枠２８及び右ガイド枠２９の傾斜角度を１０度以下にすることで、後側カバー３２の昇降に要する時間を、作業効率に影響を与えない範囲内にすることができる。
【００３６】
そして、後側カバー３２は、前方に傾斜して設けられているので、金属片の切断時に飛散って、後側カバー３２の内側（前面）に付着したスパッタ（火の粉、溶鉄）は、自重により後側カバー３２から離脱し、後側カバー３２にスパッタが付着したままの状態になるのを回避することができる。なお、後側カバー３２の外側（即ち、背面）には補強用のリブが配置され、後側カバー３２の内側は全体的に板材が露出している。
後側カバー３２は、底部が前面と垂直な平坦面で形成されており、後側カバー３２の底部が当接する（作業場１１の）接地面は、後側カバー３２の底部の傾斜に合わせ、水平方向から傾斜して形成されているので、後側カバー３２の底部とその接地面の間からの粉塵、煙の流出を防いでいる。また、後側カバー３２は、複数、例えば４つの金属板がボルト等の固定部材（枠）により連結して形成されており、歪み等により交換が必要となった金属板のみを取り替えることが可能である。
【００３７】
布状前側カバー２５、２６、２７の前又は後の下位置には補助シール板６４が設けられている。補助シール板６４は、敷設鉄板６３ａに回動可能に取り付けられ、移動架台１９がレール１２、１３上を移動して作業場１１の作業を行う場所に配置された状態で、布状前側カバー２５、２６、２７の略直下の配置となり、布状前側カバー２５、２６、２７の下側をシールする。
補助シール板６４は、複数（例えば８〜１０）左右方向に並べて配置され、それぞれ、水平に対して０度位置から９０度位置まで自由に回動し、更に傾斜してストッパー６４ａで９０度位置を超え１２０度位置までの範囲で固定可能である。
【００３８】
そして、補助シール板６４を９０度位置を超え１２０度位置までの範囲で作業場１１の方向に傾斜させることにより、作業場１１で発生する煙を移動架台１９の閉空間１８に誘導し、移動架台１９の前側開口部から煙が流出するのを防いでいる。
また、補助シール板６４を０度方向に配置することにより、作業場１１への物の搬入等の際に、補助シール板６４が搬入作業のスペースを制限しないようにすることができる。
なお、複数の補助シール板６４はそれぞれ独立して回動でき、例えば人の力によって回動可能な重量である。
【００３９】
移動架台１９の進退移動や、布状前側カバー２５、２６、２７及び後側カバー３２の昇降等の制御は、固定位置にある図示しない操作盤で行えることに加え、図示しない無線機による遠隔操作が可能であり、オペレーターが、各操作を行うために、操作盤のある場所に移動する必要はなく、作業効率を向上することができる。なお、操作盤が接続され、右側壁部５０に固定された制御盤６４ｂが設けられており、制御盤６４ｂは、操作盤や無線機からの入力に従い、移動架台１９の進退移動や、布状前側カバー２５、２６、２７及び後側カバー３２の昇降を行うため、各部材、部品等に信号を送信する。
【００４０】
次に、図４を参照して、作業場１１で、例えば、ガス切断を行う切断トーチ６５がスライド可能に取り付けられたトーチ取付アーム６６を備えるガス切断装置（詳細については実用新案登録第３１１１０２８号公報を参照）によって、金属片の切断作業を行う場合の移動式集塵フード装置１０の動作を説明する。
まず、移動架台１９を前進位置に配置し（図２に実線で示す）、後退位置にある作業場１１の作業を行う場所に切断対象の金属片を運び込む。次に、布状前側カバー２５、２６、２７、及び後側カバー３２を上限位置に配置した状態で、移動架台１９をレール１２、１３に沿って後退移動させ（図２に二点鎖線で示す）、作業場１１に配置する。
【００４１】
その後、移動架台１９の前方からガス切断装置を近づけて、ガス切断装置の本体を移動架台１９に近接させ、トーチ取付アーム６６の先端部を、例えば、布状前側カバー２７の下側の空間を通って、作業場１１に置いた金属片の上部に配置し、切断トーチ６５をトーチ取付アーム６６の先端部までスライドさせる。
次に、布状前側カバー２５、２６及び後側カバー３２を下限位置まで下降すると共に、布状前側カバー２７を下降して、布状前側カバー２７の下部中央でトーチ取付アーム６６を上側から覆い、布状前側カバー２７の下部両側を垂れ下がった状態にする。
【００４２】
そして、集塵機を作動させて、切断トーチ６５による金属片の切断を開始する。
作業場１１は、トーチ取付アーム６６の下側にある開放された空間以外を、空気の流出が防がれた状態となり、しかも、その開放された空間は、布状前側カバー２７の下部両側の垂れ下りと、９０度位置を超えて１２０度位置までの範囲で傾斜して固定された補助シール板６４によって、小さい面積にされているので、金属片の切断により生じる粉塵や煙は、外部にほとんど漏れることなく吸引フード２０、２１を介して集塵機に吸込まれる。また、作業場１１で発生する煙は、傾斜配置された補助シール板６４によって、閉空間１８の中央に向かって流れ、外に流出するのを防止されている。
【００４３】
ここで、トーチ取付アーム６６は、布状前側カバー２５、又は布状前側カバー２６の下側の空間に配置することもでき、布状前側カバー２５、２６、２７のうち、下側にトーチ取付アーム６６が配置されていない２つを最下位置まで下降し、下側にトーチ取付アーム６６が配置されている１つを途中まで下降して、開口面積を最小限にして金属片の切断を行えるので、金属片の配置場所により、トーチ取付アーム６６の配置が異なっても、空気の流出が少ない状態にすることが可能である。
更に、布状前側カバー２５、２６、２７は、耐熱性を有するので、金属片の切断作業の際に発生する熱により、布状前側カバー２５、２６、２７に変形が生じるのを防止する。
【００４４】
以上、本発明の実施の形態を説明したが、本発明は、上記した形態に限定されるものでなく、要旨を逸脱しない条件の変更等は全て本発明の適用範囲である。
例えば、作業場は、移動架台の後退位置だけに限定されず、前進位置及び後退位置の２箇所に配置してもよく、移動架台を前進位置に配置して作業をしている間に、後退位置の作業場に物の搬入等が行え、業務の効率化を図ることができる。この場合、補助シール板を移動式にすることで、移動架台の前進位置及び後退位置の両方で、補助シール板を布状前側カバーの前又は後の下位置に配置して、布状前側カバーの下側のシールを高めることが可能となる。
また、移動式集塵フード装置を配置する場所や、移動式集塵フード装置で行う作業内容等により、移動式集塵フード装置に設ける布状前側カバーの数を３つ以外の数、例えば２つにすることができる。更に、吸引フードについても２個に限らず、移動架台の左右幅に応じて、３個、あるいは、それ以上の数にすることができる。
【符号の説明】
【００４５】
１０：移動式集塵フード装置、１１：作業場、１２、１３：レール、１４：左前車輪、１５：左後車輪、１６：右前車輪、１７：右後車輪、１８：閉空間、１９：移動架台、２０、２１：吸引フード、２２、２３、２４：第１の昇降手段、２５、２６、２７：布状前側カバー、２８：左ガイド枠、２９：右ガイド枠、３１：第２の昇降手段、３１ａ：軸受け、３２：後側カバー、３２ａ：縦ローラ、３２ｂ：横ローラ、３２ｃ：溝、３３、３４：排気口、３５：固定集塵ダクト、３６：蛇腹ダクト、３７：左車輪駆動モータ、３８：右車輪駆動モータ、３９：左底材、４０：右底材、４１、４２：左垂直材、４３、４４：右垂直材、４５、４６：左浮上がり防止部材、４７、４８：右浮上がり防止部材、４９：左側壁部、５０：右側壁部、５１：前壁部、５２：後壁部、５３：点検用階段、５３ａ：フレーム部、５４：昇降用駆動モータ、５５：駆動軸、５６、５７：スプロケット、５９、６０：チェーン、６１、６２：バランスウェイト、６１ａ、６２ａ：ガイド筒、６３：予備昇降用駆動モータ、６３ａ：敷設鉄板、６４：補助シール板、６４ａ：ストッパー、６４ｂ：制御盤、６５：切断トーチ、６６：トーチ取付アーム
【図１】
2011056435.tif 000003
【図２】
2011056435.tif 000004
【図３】
2011056435.tif 000005
【図４】
2011056435.tif 000006
【図５】
2011056435.tif 000007